(57)【特許請求の範囲】
【請求項１】
投入部に投入された玄米を指定した白度に従い処理して払出部から払い出す自動精米処理手段と、
該払出部を封止するロック手段と、
この精米処理の対価としての入金額を検出する入金額検出手段と、
上記投入部に投入された玄米のすべてを指定した白度に従い処理する工程が終了した後、投入玄米の量と指定した白度により課金額を決定する課金額決定手段と、
該課金額決定手段で決定した課金額を表示する料金表示手段と、
上記課金額決定手段による課金額と上記入金額検出手段が検出した入金額を比較し、入金額が条件を満たすと上記ロック手段の払出部の封止を解除するロック解除手段とを備えることを特徴とするコイン式自動精米装置。
【発明の詳細な説明】
【０００１】
【発明の属する技術分野】
本発明は、コイン式自動精米装置に関し、特に、取扱いが簡易で利用者の不慣れや操作方法の間違いによる残金処理の不便を解消することができるとともに、構成の簡易化にも適するコイン式自動精米装置に関する。
【０００２】
【従来の技術】
従来、自動精米手段を備えてコイン投入によって自動的に玄米を精米するコイン式自動精米装置が知られている。このコイン式自動精米装置は、自動精米手段のほかに、課金額決定手段、および入金額検出手段等を備えて構成され、その投入部に定量取込み手段を備える。この定量取込み手段が入金に応じて投入玄米を機体内に取り込み、その残量に応じて入金が促されることにより、投入された玄米の量に応じた課金精算処理を行なう。
【０００３】
【発明が解決しようとする課題】
しかしながら、玄米投入タイミングの間違いや投入玄米量の計測誤差等、取扱いにおける些細な不備により、投入された玄米の一部が取り込まれずに投入部に残される場合がある。この場合は、残金が入金されるまでの間、投入部の玄米の取り込み処理が保留される。したがって、その残金処理の対応により、そのまま処理されずに玄米が投入部に残留するという事態が生じることがある。また、このような煩雑な残金処理のほかに、投入玄米の取り込みの取扱いとの兼ね合いから課金単位をある程度大きくせざるを得ないので、投入する玄米が少量の場合に割高感が避けられないという問題を内包していた。
【０００４】
本発明の目的は、取扱いが簡易で利用者の不慣れや操作方法の間違いによる残金処理の不便を解消することができるとともに、利用者の利便性の向上と構成の簡易化にも適するコイン式自動精米装置を提供することにある。
【０００５】
【課題を解決するための手段】
上記課題を解決するために、請求項１に係る発明は、投入部に投入された玄米を指定した白度に従い処理して払出部から払い出す自動精米処理手段と、該払出部を封止するロック手段と、この精米処理の対価としての入金額を検出する入金額検出手段と、上記投入部に投入された玄米のすべてを指定した白度に従い処理する工程が終了した後、投入玄米の量と指定した白度により課金額を決定する課金額決定手段と、該課金額決定手段で決定した課金額を表示する料金表示手段と、上記課金額決定手段による課金額と上記入金額検出手段が検出した入金額を比較し、入金額が条件を満たすと上記ロック手段の払出部の封止を解除するロック解除手段とを備えることによりコイン式自動精米装置を構成したものである。
【０００６】
このコイン式自動精米装置は、自動精米手段により投入玄米のすべてについて指定した白度に従い処理され、この処理後に投入玄米の量と指定した白度に基づいて課金額決定手段により課金額が決定され、入金額検出手段により入金額が検出される。精米処理後は、払出部のロック手段により課金および入金の両者間の条件が満たされた場合にそのロックが解除される。すなわち、精米処理終了後にその課金額に応じて入金すると、入金が課金額を満たすことのみを条件とする簡易な取扱いにより、投入玄米について処理された精米のすべての払出しがなされる。
【０００７】
【発明の効果】
本発明のコイン式自動精米装置は以下の効果を奏する。
上記コイン式自動精米装置は、自動精米手段により投入玄米のすべてについて指定した白度に従い処理され、この処理後に投入玄米の量と指定した白度に基づいて課金額が決定され、課金および入金の両者間の条件が満たされた場合に、払出部のロック手段によりそのロックが解除されて払出しがなされる。
したがって、玄米投入タイミングの間違いなどの取扱いの不手際や入金不足等による料金切れのために投入玄米の一部が処理されないという事態を回避して、利用者の不慣れや操作方法の間違いによる残金処理の不便を解消することができる。また、課金額は、玄米投入量と精米処理内容に応じた細かな料金区分等による自由な設定が可能となるので、利用者の利便性に広く対応することができる。さらに、投入玄米の受入れ量を入金額に応じて規制する従来のシステムに不可欠な定量取り込み機構を要することなく、コイン式自動精米装置を簡易に構成することができる。
【０００８】
【発明の実施の形態】
上記技術思想に基づき具体的に構成された実施の形態について以下に図面を参照しつつ説明する。
【０００９】
まず、本発明のコイン式自動精米装置の基本構成について説明する。本発明のコイン式自動精米装置は、精米部と制御部とから構成される。
精米部の機能構成図を図１に、また、制御部に備えた操作パネルの構成例を表す正面図を図２に示す。
図１において、コイン式自動精米装置１の精米部は、目的の玄米を受ける受容槽２、異物を分ける調整ユニット３、精米処理する精米ユニット４、白米を保管する払出槽５の順に構成され、また、精米ユニット４に除糠ユニット６を備える。
受容槽２は、投入部に配置されて利用者の側に開く投入ホッパ２ａを備える。また、この投入ホッパ２ａを介して投入された玄米を受け、図示せぬ計量手段、次工程に送る螺旋搬送機構２ｂ等を備える。
調整ユニット３は、コイン式自動精米装置の機体上部に配置され、受容槽２からリフト部３ａを介して玄米を受け、ブラシやメッシュ等を備えて受容槽２から受けた玄米中に混合されている石や異物を抜き取る。また、機体頂部近傍まで玄米をリフトアップするリフト部３ｂを備える。
精米ユニット４は、リフトアップされた玄米を受け、突起を設けたロールにより多角形状の目抜き板に押し付けることにより、指定の白度に精米処理を行なう。
払出槽５は払出し部に配置され、処理された精米を受けて取出しまでの間、保管する。払出口には封鎖用のロック手段５ａを備える。このロック手段５ａは、後述の制御部からの信号により封鎖を解除する
除糠ユニット６は、精米ユニット４から吸引した糠を遠心分離するサイクロンに送風手段を備えて構成され、分離した糠を収容するための送り機構６ａ、容器６ｂ等を備える。
【００１０】
図２において、コイン式自動精米装置１の前面に備えた操作パネル１１は、選択指示部１２、料金表示部１３、入金口１４、および、図示せぬ制御部等から構成される。
選択指示部１２は、精米処理メニューによる精米仕様等を選択指示するための押しボタンスイッチ群である。この押しボタンスイッチの選択指示信号は制御部から精米部に送られ、その指示内容に沿って精米処理が進められる。
料金表示部１３は、精米ユニット４の精米処理内容により課金額を算出する課金額決定手段の出力部であり、算出された課金額を利用料金として表示する。
入金口１４は、入金額を検出する入金額検出手段の入力部である。カード等、各種の支払い精算手段を適用することができる。
また、制御部では、課金額決定手段による課金額について上記入金額検出手段による入金額が条件を満たすと精米部１にロック解除信号を送る。
【００１１】
上記のように構成されるコイン式自動精米装置１は、精米部により投入玄米のすべてについて全工程が処理され、その処理内容に基づいて課金額決定手段１３により課金額が決定され、入金額検出手段１４により入金額が検出される。精米処理後は、払出部５のロック手段により課金および入金の両者間の条件が満たされた場合にそのロックが解除される。すなわち、精米処理終了後にその課金額に応じて入金すると、入金が課金額を満たすことのみを条件とする簡易な取扱いにより、投入玄米について処理済み白米のすべての払出しがなされる。
【００１２】
このように、コイン式自動精米装置１の投入部２に玄米を投入し、操作パネル１１から所望の精米仕様を指示することにより、この精米仕様に沿って投入玄米のすべてについて全工程が処理される一方、料金表示部１３に表示された料金を入金口１４から入金することにより、精米処理された目的物を払出部５から得ることができる。
【００１３】
したがって、取扱いの不手際や入金不足等による料金切れのために投入玄米の一部が処理されないという事態を回避して、利用者の不慣れや操作方法の間違いによる残金処理の不便を解消することができる。また、課金額は、玄米投入量と精米処理内容に応じた細かな料金区分等による設定の自由度により、利用者の利便性に広く対応することができる。さらに、投入玄米の受入れ量を入金額に応じて規制する従来の複雑なシステム構成を要することなく、コイン式自動精米装置を簡易に構成することができる。
【００１４】
つぎに、多様な処理を目的とする精米部の構成例について説明する。多様な処理を目的とする精米部の要部構成図を図３に示す。以下において、前記同様の部材はその符号を付することにより説明を省略する。
図３において、精米部２１は、精米ユニット２３、研米ユニット２５、白米タンク３２等を備えて構成される。精米ユニット２３は、その入口側に中間タンク２２を備え、図示せぬ白度調節部により指定の白度に精米する。精米ユニット２３の出口側は切替弁２４を介して研米ユニット２５またはこの研米ユニット２５を迂回するシュート２９に接続する。この研米ユニット２５またはシュート２９の出口に、処理済みの白米を受けて白米タンク３２に掬い上げる昇降機構等によるリフト部３０を設ける。
【００１５】
上記構成の精米部２１は、中間タンク２２から玄米を精米ユニット２３に受け、その出口の切替弁２４によって研米ユニット２５を選択することにより精米工程に続けて研米工程で処理する。また、切替弁２４によって迂回用のシュート２９を選択することにより研米工程を省略して精米工程処理のみによる白米を得ることができる。
この場合、研米ユニット２５は精米ユニット２３の脇の直近に配置し、精米ユニット２３または研米ユニット２５の糠を取り除く除糠ファン２６とベルト２８で連結する。このように配置することにより、単一のモータ２７で両者を駆動することができるので、それぞれに専用のモータを要することなくスペース効率を向上することができる。なお、除糠ファン２６の入口には精米ユニット２３または研米ユニット２５の切り替えのために弁２６ａを配設する。また、除糠ファン２６は研米ユニット２５と同軸に構成することもできる。
【００１６】
その他、、処理工程の多様化のための構成として、上記研米ユニット２５に代えて中間タンク２２と精米ユニット２３との間に研米ユニット２５ａを配し、かつ、リフト部３０の出口には、白米タンク３２に代えて中間タンク２２に切り替える切替弁３１を設ける構成とすることができる。この場合は、精米処理後に切替弁３１によって白米を再度中間タンク２２に還流することができる。したがって、玄米は、中間タンク２２から研米ユニット２５ａと精米ユニット２３を経て、リフト部３０から再び中間タンク２２に戻すことにより、第１の研米工程、精米工程、第２の研米工程の順に処理した白米を得ることができる。
【００１７】
上記一連の工程の第１の研米工程においては、たとえばブラシ等により、玄米の表面糠層を大部分除去することにより、精米工程の目抜き板を通過する糠が少なくなり、また、玄米に付着した埃等が精米ユニットに持ち込まれないので、効率よく精米することができる。第２の研米工程では、精米された白米表面に付着している糠を除去する。なお、次の精米工程では、白度調節部を弱側に移動して白米に圧力が掛からないようにする。
【００１８】
このように、研米手段２５、２５ａを精米手段２３の上流側または下流側に配設するとともに、精米手段２３の出口に流路切替手段３１を設け、一方は上記研米手段２５ａへの還元流路を形成し、他方は白米タンク３２に連通する流路を設け、精米手段２３から糠を除去する除糠ファン２６の駆動軸と研米手段２５の駆動軸とを連動し、除糠ファン２６または研米手段２５のいずれか一方がモータにより駆動される構成にしたことにより、コンパクトなスペースで多様な精米処理が可能となる。
【００１９】
つぎに、精米ユニットにおける除糠方法について説明する。精米ユニットの内部構成を表わす縦断面図を図４（ａ）に、また、そのＡ−Ａ線断面図を図４（ｂ）に示す。
図４（ａ）（ｂ）において、精米ユニット４１は、断面が多角形の目抜き板４２と、その中心で回転可能な筒状のロール４３とから構成される。目抜き板４２にはロール４３との間に目的米を送り込む入口４２ａが形成され、ロール４３には目抜き板４２の内周面に擦り付けて精米白化する突起４４、４４と、多数の通気孔４５…を備える。また、精米ユニット４１には、そのロール４３の中空部から外周の目抜き板４２の方向に噴風気流を循環させる除糠ファン４６と、目抜き板４２から吸引された糠を遠心分離するサイクロン等による除糠ユニット４７を連通接続する。除糠ファン４６は、風量調整によって脈動状に風量を変化させるためにインバータ制御等の回転速度制御可能な制御装置４６ａを備える。
【００２０】
精米処理においては、ロール４３を回転させつつ除糠ファン４６により噴風を循環させつつ、入口４２ａから玄米を送り込む。玄米は、ロール４３の突起４４、４４により目抜き板４２の内周面に擦り付けられて精米白化される。一方、目抜き板４２から循環噴風によって吸引された糠は除糠ユニット４７において分離される。
【００２１】
この場合、制御装置４６ａによって除糠ファン４６の回転速度を制御し、脈動状に変化する噴風を循環させることにより、ロール４３の外周を送られる目的米から剥離された糠を効果的に吹き飛ばすことができる。これは、エアガンで圧搾空気を断続さてせごみを吹き飛ばすのと同様であり、制御装置４６ａによる風量調整手段を用いることによって従来の定常風量による例と比較して効率的に除糠することができる。
【００２２】
風量調整手段については、除糠ファン４６の制御装置４６ａに限らず、その他に、除糠ファン４６から精米ユニット４１に至る噴風供給路や精米ユニット４１から除糠ファン４６に至る吸引路にて風量または圧力を可変させる介設体を設けることができる。また、その駆動手段の動作速度を電気的に可変する制御部等による場合、さらに、複数台の除糠ファンを設け、その稼動台数を変化させる場合も上記同様の効果を得ることができる。
【００２３】
つぎに、除糠ユニットの構成について説明する。除糠ユニットの構成を表わす斜視図を図５（ａ）に、また、そのＢ−Ｂ線断面図を図５（ｂ）に示す。
図５（ａ）（ｂ）において、除糠ユニット４７は、略円筒体の本体側部に入口４７ａを、上部に出口４７ｂを備え、下部に糠排出口４７ｃを開口する。本体外周には入口４７ａから本体内に流入して分離された糠が糠排出口４７ｃに至る平均的な旋回落下経路に対応する部分を加温して糠の付着を防止するヒータ４８を巻きつけるように配設する。ヒータ４８は、外被４８ａによって除糠ユニット４７本体から絶縁する。
このように構成することにより、除糠ユニット４７全体の加熱を要することなく、風量と対応して定まる糠の旋回落下経路を集中的に加温して糠の付着を効率的に防止することができる。上記ヒータ４８は、電熱線、シーズヒータ、シリコンヒータ等の糠の付着を防止しうる発熱体により、簡易に形成することができる。
【００２４】
つぎに、コイン式自動精米装置の金庫の構成について説明する。金庫の要部構成を表わす分解斜視図を図６に、また、その作用を表わす断面図を図７に、およびこれと対比する従来構造を表わす断面図を図８に示す。
図６において、箱状に形成された金庫５１本体の前面を閉じる片ヒンジの扉５３に内部からナットで固定したＵ字状金具によるフック５５を立設するとともに、扉５３を覆う平板状の蓋５６を取り付ける。蓋５６の大きさは、ヒンジ部を含む扉５３の表側全体と金庫５１の前面額縁枠５２内に及ぶ範囲に形成する。蓋５６には、フック５５を逃がすためのスリット状の窓５６ａと扉５３のヒンジ側に沿う隙間５２ａに進入して同ヒンジを覆うように折込部５７を形成する。また、鍵穴部５４等による表面の凹凸を補うスペーサ５６ｂを蓋５６の裏面に額縁状に取り付ける。
【００２５】
扉５３を閉鎖して金庫５１を閉鎖した時は、扉５３の上から更に上記蓋５６を取り付ける。この場合、蓋５６の窓５６ａによってフック５５を逃がすとともに、扉５３のヒンジ側に沿う隙間５２ａに蓋５６の折込部５７を差し込む。さらに、窓５６ａから突出したフック５５に南京錠等の簡易施錠手段５８によって施錠する。この簡易施錠手段５８は、金庫破りを抑止するための見せかけの簡易な錠前で十分であり、この簡易施錠手段５８により、蓋５６を金庫５１の前面額縁枠５２内に扉５３を覆って固定する。
【００２６】
この状態において、金庫５１は、図７のように、簡易施錠手段５８が本体の施錠と合わせて二重かぎとなるので、破錠に時間を要する一方で、簡易施錠手段５８により通常の出し入れ操作には容易に解錠することができる。また、本体の鍵穴部５４が外から見えないので、破錠や損壊のための作業時間予測が困難となる。さらに、折込部５７が隙間５２ａに進入して扉５３のヒンジを覆うことから、バール等を隙間５２ａに入れることができず、ヒンジを損壊させることが困難となる。
【００２７】
この点について、図８のような従来の金庫５１ｘは、その金庫ボックスおよび鍵をいくら堅固に構成しても、扉５３の開閉のために必要なヒンジ側の隙間５２ａが弱点となり、また、鍵の改良とともに鍵を損壊させる方法も巧妙化していることから、その対策も限界となっていた。このような状況において、上記構成の金庫５１は、簡易な構成によって効果的に従来の金庫の弱点を補うことがきる。したがって、自動販売機等を始めとする小型金庫における金庫破り対策として大きな意義を有するものである。
【００２８】
つぎに、コイン式自動精米装置の稼動管理方法について説明する。コイン式自動精米装置の稼動管理システムの全体構成図を図９に、また、その管理情報のデータ構造を図１０に示す。
図９において、コイン式自動精米装置の稼動管理システムは、端末機としてのコイン式自動精米装置６１、このコイン式自動精米装置６１と接続するプログラマブルコントローラ６２、相互通信用の通信回線６４、管理用コンピュータ６６等から構成される。
【００２９】
プログラマブルコントローラ６２は、コイン式自動精米装置６１の内部に備える各種センサと接続し、シーケンス制御によりそれぞれの出力を集めてその稼動状態を表す管理情報を後述のように集約データとして編成する。この編成処理された集約データの通信処理を行なうためにモデムユニット６３とモデム６３ａを備える。
通信回線６４は、公衆回線交換網等による通信手段である。端末機の配置場所や台数によることなく上記コイン式自動精米装置６１の管理情報に関する集約データを管理用コンピュータ６６に伝送する。
管理用コンピュータ６６は、通信回線６４からモデム６６ａを介してデータを受けるデータ処理手段である。端末機６１からの集約データを目的に応じて処理し、端末機６１の運転状態を管理する。
【００３０】
管理用コンピュータ６６に送られる集約データは、図１０に示すように、コイン式自動精米装置の各センサＳ…のオンオフ出力を集約するべくコード化したものである。すなわち、各センサＳ…の出力をプログラマブルコントローラ６２の入力端子６２ａに受け、それぞれをサンプリングしてデータレジスタ６２ｂの所定の桁位置の１ビットデータとして対応させる。このデータレジスタ６２ｂをバイト単位、または、複数バイト長のデータ通信に適するデータとしてコード化することにより、能率よく通信処理することができる。管理用コンピュータ６６においては、受けた上記集約データを分解するべくデコード処理することにより、各コイン式自動精米装置の稼動状態を把握することができる。
【００３１】
従来の稼動管理システムにおいては、コイン式自動精米装置の各センサＳ…の出力をサンプリングし、それぞれを独立したデータとして通信処理していたので、センサＳ…の数に応じたデータ量と通信時間を要していた。したがって、通信コストの負担を強いられるのみならず、端末機の稼動台数の拡大によって管理用コンピュータ６６の側の通信処理が混雑すると端末機の故障発生時等にリアルタイムの対応が困難となる事態が避けられない。これを解決するには、異状対処のための付加装備およびそのメンテナンスがそれぞれの端末機に必要となるという問題をも内包していた。
【００３２】
このような従来の稼動管理システムの問題は、上記構成の稼動管理システムにより解決することができる。すなわち、上記稼動管理システムは、コイン式自動精米装置の管理情報を集約データとして能率よく通信処理できることから、多数の端末機を一括して管理用コンピュータ６６に処理を任すことができる。したがって、端末機側の処理負担を軽減して各コイン式自動精米装置６１を簡易に構成することができる。
【００３３】
たとえば、コイン式自動精米装置の集中処理システムの機能ブロック図を表わした図１１のように、コイン式自動精米装置７１に所定の入出力データ処理部７２を設ける。この入出力データ処理部７２は、精米処理の動作状態等を検出するセンサＳ…群７１ａや、操作パネルを含む入出力機器群７１ｂ等と接続する。入出力機器群７１ｂは、たとえば、端末機側に内設されているモニタカメラ、送受話音声装置、表示器等であり、利用者からの情報を受け、また、操作方法を案内するための機器である。その他に入出力データ処理部７２は、通信処理のためのモデムユニット６３と接続する。このモデムユニット６３から通信手段を介して中央管理コンピュータ７３に接続することにより、多数のコイン式自動精米装置７１…を一括する集中処理システムを構成する。
【００３４】
上記構成のコイン式自動精米装置の集中処理システムにおいて、コイン式自動精米装置７１の入出力データ処理部７２は、大きく分けて次の２つの処理を行なう。第１には、センサＳ…群７１ａから所定のサンプリング周期で取り込んだ稼動情報についてデータの集約処理をしてモデムユニット６３に出力する。第２には、モデムユニット６３から受けた制御データを仕分け転送することにより、各入出力機器群７１ｂを動作させる。一方、中央管理コンピュータ７３は、各コイン式自動精米装置７１…からそれぞれのセンサＳ…群７１ａの稼動情報を集約データによって受け、端末機側の状況を把握する。また、状況に応じて端末機側の異状の判断処理を行なうとともに、異状に応じて入出力機器群７１ｂを動作させるべく機器制御データを送出する。たとえば、コイン式自動精米装置７１が故障した場合は、故障の発生を中央管理コンピュータ７３側で判断処理し、その旨の表示を行なうべく、表示内容を変更する指令を端末機側に送出する。
【００３５】
このような場合、従来のコイン式自動精米装置においては、故障判断等の処理および、その結果に応じて利用者に対する表示や音声ガイダンスを行なうために、入出力機器とその制御部等、自立型機器として自己管理のためのリソースをそれぞれに付設する必要があるので、大きなコスト負荷が問題となっていた。
【００３６】
上記構成の稼動管理システムにおいては、従来のコイン式自動精米装置の問題を解決することができる。すなわち、上記稼動管理システムは、各コイン式自動精米装置７１…の稼動情報を効率的に中央管理コンピュータ７３に転送する。この稼動情報に基づいてコイン式自動精米装置７１に内設の音声装置、表示装置、カメラ等を中央管理コンピュータ７３によって個別に制御することができる。したがって、共同リソースとしての中央管理コンピュータ７３側で個々の端末機側の運転状態を管理制御することにより、端末機側の処理負担が軽減される。その結果、利用者からの委託物を取り扱う精米処理において、一般の自動販売機による物販と異なり、木目細かな対応を充実して利用者の利便性を確保しつつ、端末機としてのコイン式自動精米装置７１の構成の簡易化を図ることができる。
【図面の簡単な説明】
【図１】  本発明のコイン式自動精米装置における精米部の機能構成図
【図２】  本発明のコイン式自動精米装置における制御部に備えた操作パネルの構成例を表す正面図
【図３】  多様な処理を目的とする精米部の要部構成図
【図４】  精米ユニットの内部構成を表わす縦断面図（ａ）、および、そのＡ−Ａ線断面図
【図５】  除糠ユニットの構成を表わす斜視図（ａ）、および、そのＢ−Ｂ線断面図
【図６】  コイン式自動精米装置の金庫の要部構成を表わす分解斜視図
【図７】  図６の金庫の作用を表わす断面図
【図８】  図７と対比する従来構造を表わす断面図
【図９】  コイン式自動精米装置の稼動管理システムの全体構成図
【図１０】  図９のコイン式自動精米装置の稼動管理システムにおける管理情報のデータ構造
【図１１】  コイン式自動精米装置の集中処理システムの機能ブロック図
【符号の説明】
１、２１  精米部（自動精米処理手段）
２  受容槽
２ａ  投入ホッパ
３  調整ユニット
４、２３、４１  精米ユニット
５  払出槽
５ａ  払出部（ロック手段）
６、４７  除糠ユニット
１１  操作パネル
１２  選択指示部
１３  料金表示部（課金額決定手段）
１４  入金口（入金額検出手段）
２２  中間タンク
２４  切替弁
２５、２５ａ、３２  研米ユニット
２９  シュート
３１  切替弁
４６  除糠ファン（風量調整手段）
４８  ヒータ（加熱手段）
【図１】
0003722049.tif 000002
【図２】
0003722049.tif 000003
【図３】
0003722049.tif 000004
【図４】
0003722049.tif 000005
【図５】
0003722049.tif 000006
【図６】
0003722049.tif 000007
【図７】
0003722049.tif 000008
【図８】
0003722049.tif 000009
【図９】
0003722049.tif 000010
【図１０】
0003722049.tif 000011
【図１１】
0003722049.tif 000012